(57)【特許請求の範囲】
【請求項１】
液晶表示素子と、
前記液晶表示素子の背後に配置された拡散板と、
前記液晶表示素子と前記拡散板とを収納するケース体と、
前記液晶表示素子を照明する光源が配置された回路基板と、を備え、
前記ケース体は、前記拡散板の四隅を差し込む切り込み部を有し、
前記切り込み部から差し込まれた前記拡散板の前記四隅が、前記ケース体の背面側から見たときに視認可能であることを特徴とする液晶表示装置。
【請求項２】
前記拡散板は、前記四隅に確認用マークを有し、
前記ケース体を背面側から見たときに、前記確認用マークを視認可能であることを特徴とする請求項１に記載の液晶表示装置。
【請求項３】
前記拡散板は、暗色のインクが印刷された調整部を有することを特徴とする請求項１に記載の液晶表示装置。
【発明の詳細な説明】
【技術分野】
【０００１】
本発明は、液晶表示装置に関し、特に光源が発した光を拡散させる拡散板を備えた液晶表示装置に関するものである。
【背景技術】
【０００２】
従来より、液晶表示素子と拡散板とをケース体に配置した液晶表示装置が知られている。このような液晶表示装置は、ケース体は白色の合成樹脂から形成され、拡散板は光透過性の合成樹脂から形成され、拡散板をケース体の切り込み部に差し込んで固定するものが一般的である。
【先行技術文献】
【特許文献】
【０００３】
【特許文献１】特開２００６−２６７７６２号公報
【発明の開示】
【発明が解決しようとする課題】
【０００４】
このような液晶表示装置は、ケース体に拡散板を配置した後、液晶表示素子を組み付けてしまうと、拡散板が組み付けされたかどうかを確認する方法がなかった。つまり、ケース体に液晶表示素子を組み付けた後は拡散板が見えなくなるため、拡散板が組み付けられているかどうか、確認できないという問題を有していた。
【０００５】
本発明はこの様な点に鑑みなされたもので、拡散板が組み付けされたことの確認が容易な液晶表示装置を提供することを目的とする。
【課題を解決するための手段】
【０００６】
本発明は前記目的を達成するため、
液晶表示素子と、
前記液晶表示素子の背後に配置された拡散板と、
前記液晶表示素子と前記拡散板とを収納するケース体と、
前記液晶表示素子を照明する光源が配置された回路基板と、を備え、
前記ケース体は、前記拡散板の四隅を差し込む切り込み部を有し、
前記切り込み部から差し込まれた前記拡散板の前記四隅が、前記ケース体の背面側から見たときに視認可能であるものである。
【０００７】
また、本発明は、前記拡散板は、前記四隅に確認用マークを有し、前記ケース体を背面側から見たときに、前記確認用マークを視認可能であるものである。
【０００８】
また、本発明は、前記拡散板は、暗色のインクが印刷された調整部を有するものである。
【発明の効果】
【０００９】
本発明によれば、拡散板が組み付けされたことの確認が容易な液晶表示装置を提供することができる。
【図面の簡単な説明】
【００１０】
【図１】本発明の実施形態を示す液晶表示装置の分解斜視図。
【図２】同液晶表示装置の拡散板とケース体の組み付けを示す斜視図。
【図３】図２を背面側から見た図。
【図４】図２のＡ拡大図。
【図５】図２のＢ拡大図。
【発明を実施するための最良の形態】
【００１１】
本発明を、図１から図５に基づいて、車両用の液晶表示装置に適用した例を実施形態として説明する。
【００１２】
液晶表示装置は、本実施形態ではＴＦＴ型の液晶表示素子１の背面側に配置され光拡散性を有する拡散板２と、液晶表示素子１と拡散板２が収納（支持）されるケース体３と、このケース体３の背後に配置された硬質の回路基板４と、回路基板４に実装され液晶表示素子１を背後から照明する光源５とを備えている。
【００１３】
液晶表示素子１は、透明電極が形成された２枚の基板の間に液晶分子を封入し、図示しない偏光膜を貼り合せたものである。また、液晶表示素子１には複数の金属製の接続端子１１が固着してある。この接続端子１１は、リード部１２を有しており、回路基板４に設けられた貫通孔に半田付けされることで、液晶表示素子１が回路基板４と電気的に接続される。
【００１４】
拡散板２は、光透過性の合成樹脂であり、光源５からの光が液晶表示素子１を均一に照明するように、その背面に調光用の黒色の網点層（調整部）２１ａと、網点層２１ａと同一のインクと同一の工程によって印刷された確認用マーク２１ｂを有している。確認用マーク２１ｂは、後述する切り込み部３１０に差し込まれる箇所に形成されているものであり、本実施形態においては、拡散板２の四隅（二つの対角）と、そのほかに、後述する位置決め嵌合部２２が形成されていない対向する辺の端部に印刷されている。
【００１５】
また、拡散板２は、ケース体３の位置決め部に貫通もしくはスライドされる位置決め嵌合部２２を有している。
【００１６】
ケース体３は、白色の合成樹脂であり、液晶表示素子１と拡散板２が載置される載置部３１と、載置部３１から回路基板４に向かって垂直に形成された周壁３２と、周壁３２によって囲まれた開口部３３と、リード部１２が挿入される挿入部３４と、拡散板２が位置決めされる位置決め部３５と、回路基板４にビス固定されるための貫通孔を有したフランジ部３６と、を有している。
【００１７】
載置部３１には、拡散板２を差し込む切り込み部３１０が複数形成されている。切り込み部３１０は、拡散板２に印刷された組み付け確認用マーク２１ｂを視認するために、確認用マーク２１ｂと対応した箇所であって、本実施形態においては、載置部３１の四隅（二つの対角）と位置決め部３５が形成されていない対向する辺の端部にそれぞれ形成されている。
【００１８】
また、切り込み部３１０は、背面側から見たときに、拡散板２に印刷された確認用マーク２１ｂが一部視認できる程度に開口していればよい。
【００１９】
拡散板２は、網点層２１ａと確認用マーク２１ｂが印刷された側を背面にして、ケース体３の載置部３１に載置される。その際、拡散板２は、拡散板２の位置決め嵌合部２２がケース体３の位置決め部に配置され、拡散板２の確認用マーク２１ｂが印刷された箇所が、切り込み部３１０に差し込まれることで、ケース体３に保持される。
【００２０】
ケース体３に配置された拡散板２をケース体３の背面側から視認し、拡散板２が切り込み部３１０に差し込まれ、全部または一部の確認用マーク２１ｂが視認できるか判断することができる。
【００２１】
この様に、液晶表示素子１と、液晶表示素子１の背後に配置された拡散板２と、液晶表示素子１と拡散板２とを収納するケース体３と、液晶表示素子１を照明する光源５が配置された回路基板４と、を備え、ケース体３は、拡散板２を背面側から見たときに一部視認可能に開口した切り込み部３１０を有していることによって、ケース体３に配置された拡散板２をケース体３の背面側から視認し、拡散板２が切り込み部３１０に差し込まれ、全部または一部の確認用マーク２１ｂが視認できるか判断することができる。
【００２２】
また、拡散板２は、確認用マーク２１ｂを有し、ケース体３を背面側から見たときに、確認用マーク２１ｂを視認可能であることによって、液晶表示素子１が組み付けされた後でも、拡散板２が組み付けされたことを容易に確認することができる。
【００２３】
また、ケース体３は、拡散板２が配置される載置部３１を有し、確認用マーク２１ｂは、背面側から見たときに視認可能であることによって、液晶表示素子１が組み付けされた後でも、拡散板２が組み付けされたことを容易に確認することができる。
【符号の説明】
【００２４】
１      液晶表示素子
２      拡散板
３      ケース体
４      回路基板
５      光源
１１    接続端子
２１ａ  網点層（調整部）
２１ｂ  確認用マーク
３１    載置部
３２    周壁
３３    開口部
３４    挿入部
３５    位置決め部
３６    フランジ部
３１０  切り込み部
【図１】
0006690345.tif 000002
【図２】
0006690345.tif 000003
【図３】
0006690345.tif 000004
【図４】
0006690345.tif 000005
【図５】
0006690345.tif 000006